(57)【要約】【課題】テンプレートをユーザーの文書に合わせて編集することができる情報処理装置を提供する。【解決手段】「線編集」１０６は、「テンプレート画像」１１２のテンプレートの線を編集する。ユーザーがテンプレートの線を削除するときには、削除したいテンプレートの線または「線編集」１０６の「線種別」をポイントすると「線種別」に「レ」が設定され、次いで「線削除」ボタン１０６ａを押下すると、ポイントした線がテンプレートから削除され、また「線編集」１０６からポイントした「線種別」が削除される。ユーザーがテンプレートに線を追加するときには、テンプレートから線を追加する箇所をポイントし、次いで「方向」１０７、「繰り返し」１０８、「色」１０９、及び「不透明度」１１０を設定し、「線追加」ボタン１０６ｂを押下すると、「テンプレート画像」１１２のテンプレートに線が追加され、「線編集」１０６に追加した「線種別」が表示される。【選択図】図７
2015087977.tif 000002
【特許請求の範囲】
【請求項１】
テンプレートのプレビューを表示するテンプレートプレビュー表示手段と、
前記テンプレートの前記プレビューから選択された前記テンプレートを編集するテンプレート編集手段と、
を備えることを特徴とする情報処理装置。
【請求項２】
前記テンプレート編集手段は、
前記テンプレートの線の削除または追加を行う線編集手段を備え、
前記線編集手段は、前記テンプレートの画像からポイントされた線の削除または追加を行うことを特徴とする請求項１に記載の情報処理装置。
【請求項３】
前記テンプレート編集手段は、
前記テンプレートの線の色を編集する色編集手段を備え、
前記色編集手段は、前記テンプレートの線の色、色の彩度及び明度を設定することを特徴とする請求項１または請求項２に記載の情報処理装置。
【請求項４】
前記色編集手段は、
複数の色が表示された色設定ボタンを備え、
前記色設定ボタンの設定する色が表示されているエリアが押下されたときに色が設定されることを特徴とする請求項３に記載の情報処理装置。
【請求項５】
前記色編集手段は、
色の彩度と明度を調整する色彩度明度調整ボタンを備え、
前記色彩度明度調整ボタンの予め決められた位置が押下されたときに色の前記彩度と前記明度が調整されることを特徴とする請求項３または請求項４に記載の情報処理装置。
【請求項６】
前記色設定ボタンは輪の形状のボタンであり、前記色彩度明度調整ボタンは前記色設定ボタンの内側に設けられていることを特徴とする請求項５に記載の情報処理装置。
【請求項７】
前記色彩度明度調整ボタンの一方が押下されたときに前記彩度が高く設定され、前記色彩度明度調整ボタンの他方が押下されたときに前記彩度が低く設定されることを特徴とする請求項５または請求項６に記載の情報処理装置。
【請求項８】
前記色彩度明度調整ボタンの一方が押下されたときに前記明度が高く設定され、前記色彩度明度調整ボタンの他方が押下されたときに前記明度が低く設定されることを特徴とする請求項５から請求項７のいずれか１項に記載の情報処理装置。
【請求項９】
選択された前記テンプレートの線に色が設定されていないときには、前記色設定ボタン及び前記色彩度明度調整ボタンが表示されないことを特徴とする請求項５から請求項８のいずれか１項に記載の情報処理装置。
【請求項１０】
情報処理装置と画像形成装置を有する画像形成システムであって、
前記情報処理装置は、
テンプレートのプレビューを表示するテンプレートプレビュー表示手段と、
前記テンプレートの前記プレビューから選択された前記テンプレートを編集するテンプレート編集手段と、
前記テンプレートの画像を前記画像形成装置に送信するテンプレート画像送信手段とを備え、
前記画像形成装置は、
前記テンプレートの画像を前記情報処理装置から受信するテンプレート画像受信手段と、
前記テンプレートの画像を印刷するテンプレート画像印刷手段とを備え
ることを特徴とする画像形成システム。
【発明の詳細な説明】
【技術分野】
【０００１】
本発明は、情報処理装置及び画像形成システムに係り、特にユーザーの用途に応じた画像形成装置の文書の定型書式（以下、「テンプレート」という）を提供する機能（以下、「テンプレート機能」という）を備える情報処理装置及び画像形成システムに関する。
【背景技術】
【０００２】
最近の技術によれば、ユーザーはＰＣ（パソコン）、スマートフォン、携帯電話、又はタブレット端末である情報処理装置のテンプレート機能の画面から選択したテンプレートをプリンター、多機能プリンター、多機能周辺装置、又は複合機（Ｍｕｌｔｉｆｕｎｃｔｉｏｎ  Ｐｅｒｉｐｈｅｒａｌ）である画像形成装置により印刷することができる。また、情報処理装置は、ユーザーの使用頻度が高い複数のテンプレートを提供することができる。この情報処理装置のテンプレートをユーザーが用いることで、ユーザーが文書を作成する時間を削減することができる。例えば、特許文献１のドキュメント自動作成システムでは、ネットワーク上の複数のサーバーから各サーバーが保有するシステムデータを収集し、収集したデータをテンプレートに埋め込んで各種文書を作成することで、ユーザーが文書を作成する時間を削減できるようにしている。
【先行技術文献】
【特許文献】
【０００３】
【特許文献１】特開２００１−２２７３８号公報
【発明の概要】
【発明が解決しようとする課題】
【０００４】
しかし、特許文献１のドキュメント自動作成システムでは、収集したデータをテンプレートに埋め込んで各種文書を作成することができるが、テンプレートを編集することができない。また、情報処理装置においても、ユーザーの用途に応じた複数のテンプレートをユーザーに提供することができるが、テンプレートの線の間隔や色の一部を変更したいときに、既存のテンプレートを容易に編集することができないという問題があった。
【０００５】
本発明はこのような状況に鑑みてなされたものであり、上記課題を解決できる情報処理装置及び画像形成システムを提供することを目的とする。
【課題を解決するための手段】
【０００６】
本発明の情報処理装置は、テンプレートのプレビューを表示するテンプレートプレビュー表示手段と、前記テンプレートの前記プレビューから選択された前記テンプレートを編集するテンプレート編集手段と、を備えることを特徴としている。
また、本発明の情報処理装置の前記テンプレート編集手段は、前記テンプレートの線の削除または追加を行う線編集手段を備え、前記線編集手段は、前記テンプレートの画像からポイントされた線の削除または追加を行うことを特徴としている。
また、本発明の情報処理装置の前記テンプレート編集手段は、前記テンプレートの線の色を編集する色編集手段を備え、前記色編集手段は、前記テンプレートの線の色、色の彩度及び明度を設定することを特徴としている。
また、本発明の情報処理装置の前記色編集手段は、複数の色が表示された色設定ボタンを備え、前記色設定ボタンの設定する色が表示されているエリアが押下されたときに色が設定されることを特徴としている。
また、本発明の情報処理装置の前記色編集手段は、色の彩度と明度を調整する色彩度明度調整ボタンを備え、前記色彩度明度調整ボタンの予め決められた位置が押下されたときに色の前記彩度と前記明度が調整されることを特徴としている。
また、本発明の情報処理装置の前記色設定ボタンは輪の形状のボタンであり、前記色彩度明度調整ボタンは前記色設定ボタンの内側に設けられていることを特徴としている。
また、本発明の情報処理装置の前記色彩度明度調整ボタンの一方が押下されたときに前記彩度が高く設定され、前記色彩度明度調整ボタンの他方が押下されたときに前記彩度が低く設定されることを特徴としている。
また、本発明の情報処理装置の前記色彩度明度調整ボタンの一方が押下されたときに前記明度が高く設定され、前記色彩度明度調整ボタンの他方が押下されたときに前記明度が低く設定されることを特徴としている。
また、本発明の情報処理装置は、選択された前記テンプレートの線に色が設定されていないときには、前記色設定ボタン及び前記色彩度明度調整ボタンが表示されないことを特徴としている。
本発明の画像形成システムは、情報処理装置と画像形成装置を有する画像形成システムであって、前記情報処理装置は、テンプレートのプレビューを表示するテンプレートプレビュー表示手段と、前記テンプレートの前記プレビューから選択された前記テンプレートを編集するテンプレート編集手段と、前記テンプレートの画像を前記画像形成装置に送信するテンプレート画像送信手段とを備え、前記画像形成装置は、前記テンプレートの画像を前記情報処理装置から受信するテンプレート画像受信手段と、前記テンプレートの画像を印刷するテンプレート画像印刷手段とを備えることを特徴としている。
【発明の効果】
【０００７】
本発明は、テンプレートをユーザーの文書に合わせて編集することができる情報処理装置及び画像形成システムを提供する。
【図面の簡単な説明】
【０００８】
【図１】本発明の実施形態に係る画像形成システムのシステム構成を示す図である。
【図２】図１に示す画像形成システムの機能構成を示す図である。
【図３】本発明の実施形態に係る横長サイズ表示したときのテンプレート選択画面の例を示す図である。
【図４】本発明の実施形態に係る縦長サイズ表示したときのテンプレート選択画面の例を示す図である。
【図５】本発明の実施形態に係る横長サイズ表示したときのテンプレート印刷画面の例を示す図である。
【図６】本発明の実施形態に係る縦長サイズ表示したときのテンプレート印刷画面の例を示す図である。
【図７】本発明の実施形態に係る線編集が可能な状態のテンプレート編集画面の例を示す図である。
【図８】本発明の実施形態に係る線編集が不可の状態のテンプレート編集画面の例を示す図である。
【発明を実施するための形態】
【０００９】
以下、本発明を実施するための形態（以下、「実施形態」という）を、図面を参照して説明する。実施形態の画像形成システムＸは、複数の情報処理装置１、１ａ、画像形成装置２、２ａ、及びネットワーク３から構成されている。
情報処理装置１、１ａは、テンプレートの印刷及び編集が可能なＰＣ／ＡＴ互換機等のＰＣ、スマートフォン、携帯電話、又はタブレット端末である。情報処理装置１、１ａは、原稿画像データまたはテンプレート画像データを画像形成装置２、２ａに送信することができる。
画像形成装置２、２ａは、プリンター、多機能プリンター、多機能周辺装置、又は複合機等の画像を形成する画像形成装置である。画像形成装置２、２ａは、原稿画像データまたはテンプレート画像データを情報処理装置２、２ａから受信し、印刷することができる。
ネットワーク３は、ＬＡＮ、無線ＬＡＮ、ＷＡＮ、携帯電話網などのネットワークであり、複数の情報処理装置１、１ａ、複数の画像形成装置２、２ａを接続している。
【００１０】
次に、情報処理装置１、１ａと画像形成装置２、２ａの機能構成について図２を用いて説明する。画像形成システムＸは、複数の情報処理装置１、１ａ及び複数の画像形成装置２、２ａにより構成されているが、ここでは各々１つの情報処理装置１と画像形成装置２の機能構成について説明する。
【００１１】
まず、情報処理装置１の機能構成について説明する。図２に示すように情報処理装置１は、制御部１１、補助記憶部１２、操作表示部１３、及びネットワーク通信部１４を備え、これら各部はバスなどにより接続される構成となっている。
【００１２】
制御部１１は、ＲＡＭやＲＯＭ等の主記憶手段、及びＣＰＵ(Central Processing Unit)等の制御手段を備えている。また、制御部１１は、各種Ｉ／Ｏや、ＵＳＢ（ユニバーサル・シリアル・バス）等のインターフェース、バスコントローラー等を含む総合的な情報処理装置１のコントロールを行う。制御部１１には、ドライバー処理部１１ａが設けられている。
ドライバー処理部１１ａは、ユーザーにより指定された原稿画像、テンプレート画像、印刷色、印刷用紙サイズ、印刷部数などを印刷要求データに設定し、この印刷要求データを画像形成装置２に送信する。また、ドライバー処理部１１ａは、テンプレート画像の印刷及び編集を行うことができる。テンプレート画像の印刷及び編集については、後述する。
【００１３】
補助記憶部１２は、フラッシュメモリー等からなる補助記憶装置で、制御部１１が実行する処理のプログラムやデータを記憶する。補助記憶部１２には、原稿画像データ保存エリア１２ａとテンプレート画像データ保存エリア１２ｂが設けられている。
原稿画像データ保存エリア１２ａは、ユーザーの原稿画像を保存する。
テンプレート画像データ保存エリア１２ｂは、テンプレート機能により提供されるテンプレート画像を保存する。
【００１４】
操作表示部１３は、情報処理装置１が備えている機能の操作項目を表示する処理、またユーザーが行う操作に対する操作データ、またはユーザーが行う設定に対する設定データを入力する処理を行う。
【００１５】
ネットワーク通信部１４は、ネットワーク３に接続するための着脱可能なＬＡＮインターフェースを備えている。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００１６】
次に、画像形成装置２の機能構成について説明する。図２に示すように画像形成装置２は、制御部２１、補助記憶部２２、記憶部２３、ネットワーク通信部２４、操作パネル２５、操作パネル処理部２６、原稿読取部２７、画像形成部２８、及び画像印刷部２９を備えている。これらの各部は、バスなどにより接続されている。
【００１７】
制御部２１は、ＭＰＵ(Micro Processing Unit)やＣＰＵ(Central Processing Unit)等による制御手段を備え、各種Ｉ／Ｏや、ＵＳＢ（ユニバーサル・シリアル・バス）等のインターフェース、バスコントローラー等を含む総合的な画像形成装置２のコントロールを行う。制御部２１には、印刷実行処理部２１ａの機能が設けられている。印刷実行処理部２１ａは、制御部２１からの指令により印刷動作を実行する。
【００１８】
補助記憶部２２は、フラッシュメモリー等からなる補助記憶装置で、制御部２１が実行する処理のプログラムやデータが記憶される。補助記憶部２２には、印刷要求画像データ保存エリア２２ａが設けられている。
印刷要求画像データ保存エリア２２ａは、情報処理装置１から受信した原稿画像データまたはテンプレート画像データを一時的に保存する。
【００１９】
記憶部２３は、データやプログラムを保存するハードディスクドライブである。記憶部２３には、原稿画像データ保存エリア２３ａとテンプレート画像データ保存エリア２３ｂが設けられている。
原稿画像データ保存エリア２３ａは、原稿読取部２７が原稿を読み取り、画像形成部２８により画像形成された原稿画像、またはネットワーク通信部１４を経由して情報処理装置１から受信した原稿画像に対して保存設定が行われたときに原稿画像を保存する。
テンプレート画像データ保存エリア２３ｂは、ネットワーク通信部２４を経由して情報処理装置１から受信したテンプレート画像に対して保存設定が行われたときにテンプレート画像を保存する。
【００２０】
ネットワーク通信部２４は、ネットワーク３に接続するための着脱可能なＬＡＮインターフェースを備えている。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２１】
操作パネル２５は、操作メニューの表示、ユーザーの指による操作を受け付ける。また、ユーザーは操作パネル２５から画像形成装置２に設定する各種情報を入力することができる。
【００２２】
操作パネル処理部２６は、画像形成装置２が備えている機能の操作項目を操作パネル２５に表示する処理、情報処理装置１から受信する画像を表示する処理、及び操作パネル２５からユーザーが行う操作に対する操作データ、またはユーザーが行う設定に対する設定データを入力する処理を行う。
【００２３】
原稿読取部２７は、画像形成装置２の原稿台にセットされた原稿の読み取りを行うもので、ユーザーが操作パネル２５から読み取り要求を行うことにより、原稿台にセットされた原稿の読み取りを行うことができる。
【００２４】
画像形成部２８は、ユーザーからの読み取り要求により原稿読取部２７で読み取った原稿を、画像印刷部２９で印刷可能またはＦＡＸやメールで送信可能なデータ形式の原稿画像に変換する。
【００２５】
画像印刷部２９は、ユーザーから印刷要求のあった原稿画像またはテンプレート画像を指定された印刷用紙サイズの印刷用紙に指定された印刷部数で印刷する。
【００２６】
次に、情報処理装置１のテンプレート画像データ保存エリア１２ｂに保存されているテンプレート画像の編集と印刷を行うための図３及び図４に示すテンプレート選択画面８０、図５及び図６に示すテンプレート印刷画面９０、及び図７及び図８に示すテンプレート編集画面１００について説明する。テンプレート選択画面８０は、印刷または編集を行うテンプレートを選択する画面である。テンプレート印刷画面９０は、テンプレート選択画面８０から選択されたテンプレートの印刷を行う画面である。テンプレート編集画面１００は、テンプレート選択画面８０から選択されたテンプレートの編集を行う画面である。ユーザーは、テンプレートの印刷または編集を行うときに、情報処理装置１の操作表示部１３を操作してテンプレート選択画面８０を表示する。次いで、ユーザーがテンプレート選択画面８０から印刷を行うテンプレートを選択して「印刷」ボタンを押下すると、選択されたテンプレートのテンプレート印刷画面９０が操作表示部１３に表示される。また、ユーザーがテンプレート選択画面８０から編集を行うテンプレートを選択して「編集」ボタンを押下すると、選択されたテンプレートのテンプレート編集画面１００が操作表示部１３に表示される。このように、ユーザーは、操作表示部１３のタッチパネルを操作してテンプレートの印刷と編集を行う。
【００２７】
図３及び図４に示すテンプレート選択画面８０は、「最近使用テンプレート」８１及びその他のテンプレートを表示する「テンプレート」８２のプレビュー表示エリア、「印刷」ボタン８３、「編集」ボタン８４を備えている。なお、図３は、テンプレート選択画面８０を横長サイズで表示したときの表示例であり、図４は、テンプレート選択画面８０を縦長サイズで表示したときの表示例である。
【００２８】
「最近使用テンプレート」８１は、テンプレートの中で最近最も使用頻度の高い３つのテンプレートのプレビューを使用頻度が高い順に表示する。例えば、テンプレートの「システムルールライン」、「原稿用紙グラフ」、「エンジニアリング用紙グラフ」の順に使用頻度が高いときには、「最近使用テンプレート」８１のプレビュー表示エリア８１ａに「システムルールライン」のプレビュー、プレビュー表示エリア８１ｂに「原稿用紙グラフ」のプレビュー、プレビュー表示エリア８１ｃに「エンジニアリング用紙グラフ」のプレビューが表示される。また、プレビュー表示エリア８１ａ〜８１ｃの下段には、プレビュー表示エリア８１ａ〜８１ｃのテンプレートに設定されている「テンプレート名称」を表示する。
【００２９】
「テンプレート」８２は、画像形成装置２の記憶部８に記憶されているテンプレートのプレビューを表示する。例えば、画像形成装置２が記憶しているテンプレートが「カスタムグラフィック」、「システムルールライン」、「大学ルールライン」、「ワイドルールライン」、「エンジニアリング用紙グラフ」、「原稿用紙グラフ」、「六角形用紙グラフ」、「アイソメトリック／３Ｄグラフ」、「カドリールルールグラフ」、及び「楽譜」であれば、これらのテンプレートのプレビューがプレビュー表示エリア８２ａから８２ｊに表示される。また、プレビュー表示エリア８２ａ〜８２ｊの下段には、プレビュー表示エリア８２ａ〜８２ｊのテンプレートに設定されている「テンプレート名称」を表示する。
【００３０】
「印刷」ボタン８３は、「最近使用テンプレート」８１のプレビュー表示エリア８１ａ〜８１ｃ、または「テンプレート」８２のプレビュー表示エリア８２ａ〜８２ｊに表示されているテンプレートの印刷を行うときに押下するボタンである。ユーザーがプレビュー表示エリア８１ａ〜８１ｃ、またはプレビュー表示エリア８２ａ〜８２ｊのいずれか１つの「テンプレート名称」をポイントして「印刷」ボタン８３を押下すると、テンプレート印刷画面９０が表示される。
【００３１】
「編集」ボタン８４は、「最近使用テンプレート」８１のプレビュー表示エリア８１ａ〜８１ｃ、または「テンプレート」８２のプレビュー表示エリア８２ａ〜８２ｊに表示されているテンプレートの編集を行うときに押下するボタンである。ユーザーがプレビュー表示エリア８１ａ〜８１ｃ、またはプレビュー表示エリア８２ａ〜８２ｊのいずれか１つの「テンプレート名称」をポイントして「編集」ボタン８４を押下すると、テンプレート編集画面１００が表示される。
【００３２】
図５及び図６に示すテンプレート印刷画面９０は、「テンプレート名称」９１、及び「テンプレート画像」９６の表示エリア、「印刷用紙サイズ」９２、「印刷ページ数」９３、「片面両面印刷」９４、及び「テンプレート向き」９５の各設定項目、「印刷」ボタン９７を備えている。なお、図５は、テンプレート印刷画面９０を横長サイズで表示したときの表示例であり、図６は、テンプレート印刷画面９０を縦長サイズで表示したときの表示例である。
【００３３】
「テンプレート名称」９１は、テンプレート印刷画面９０を表示するときに、テンプレート選択画面８０のプレビュー表示エリア８２ａ〜８２ｊまたはプレビュー表示エリア８２ａ〜８２ｊのユーザーがポイントした「テンプレート名称」を表示する。
【００３４】
「印刷用紙サイズ」９２は、テンプレートを印刷する印刷用紙のサイズを設定する。
「印刷ページ数」９３は、テンプレートを印刷するときの印刷ページの枚数を設定する。
「片面両面印刷」９４は、片面印刷、または両面印刷のときの綴じ方向を設定する。片面印刷のときには、「片面印刷」９４ａをポイントする。両面印刷において長辺を綴じるときには、「両面長辺綴じ印刷」９４ｂをポイントする。両面印刷において短辺を綴じるときには、「両面短辺綴じ印刷」９４ｃをポイントする。
「テンプレート向き」９５は、印刷用紙にテンプレートを印刷するときのテンプレートの向きを設定する。テンプレートの短辺を上側向きにして印刷するときには、「短辺上側向き」９５ａをポイントする。テンプレートの長辺を上側向きにして印刷するときには、「長辺上側向き」９５ｂをポイントする。テンプレートの短辺を下側向きにして印刷するときには、「短辺下側向き」９５ｃをポイントする。テンプレートの長辺を下側向きにして印刷するときには、「長辺下側向き」９５ｄをポイントする。
【００３５】
「テンプレート画像」９６は、「テンプレート名称」９１に対応するテンプレートの画像を表示する。
【００３６】
「印刷」ボタン９７は、「テンプレート画像」９６に表示されているテンプレートを印刷するときに押下するボタンである。「印刷」ボタン９７を押下すると、「印刷用紙サイズ」９２、「印刷ページ数」９３、「片面両面印刷」９４、及び「テンプレート向き」９５の設定値と、「テンプレート画像」９６に表示されているテンプレートの画像が制御部２１に出力され、制御部２１の印刷実行処理部２１ａが設定値に基づいてテンプレートを印刷する。
【００３７】
図７に示すテンプレート編集画面１００は、「テンプレート名称」１０１、及び「テンプレート画像」１１２の表示エリア、「印刷用紙サイズ」１０２、「印刷ページ数」１０３、「テンプレート向き」１０４、及び「片面両面印刷」１０５の設定項目、「線編集」１０６の編集エリア、「方向」１０７、「繰り返し」１０８、「色」１０９、「不透明度」１１０、及び「余白」１１１の設定項目、「印刷」ボタン１１３を備えている。なお、図７は、テンプレート編集画面１００における線編集が可能な状態の表示例であり、図８は、テンプレート編集画面１００における線編集が不可の状態の表示例である。
【００３８】
「テンプレート名称」１０１は、テンプレート印刷画面９０を表示するときに、テンプレート選択画面８０のプレビュー表示エリア８２ａ〜８２ｊまたはプレビュー表示エリア８２ａ〜８２ｊのユーザーがポイントした「テンプレート名称」を表示する。
【００３９】
「印刷用紙サイズ」１０２は、テンプレートを印刷する印刷用紙のサイズを設定する。
「印刷ページ数」１０３は、テンプレートを印刷するときの印刷ページの枚数を設定する。
「テンプレート向き」１０４は、印刷用紙にテンプレートを印刷するときのテンプレートの向きを設定する。テンプレートの短辺を上側向きにして印刷するときには、「短辺上側向き」１０４ａをポイントする。テンプレートの長辺を上側向きにして印刷するときには、「長辺上側向き」１０４ｂをポイントする。テンプレートの短辺を下側向きにして印刷するときには、「短辺下側向き」１０４ｃをポイントする。テンプレートの長辺を下側向きにして印刷するときには、「長辺下側向き」１０４ｄをポイントする。
「片面両面印刷」１０５は、片面印刷、または両面印刷のときの綴じ方向を設定する。片面印刷のときには、「片面印刷」１０５ａをポイントする。両面印刷において長辺を綴じるときには、「両面長辺綴じ印刷」１０５ｂをポイントする。両面印刷において短辺を綴じるときには、「両面短辺綴じ印刷」１０５ｃをポイントする。
【００４０】
「線編集」１０６は、「テンプレート画像」１１２に表示されるテンプレートの線を編集する。「線編集」１０６には、「テンプレート画像」１１２に表示されているテンプレートの線に対応した「垂直１本線」、「水平１本線」、「垂直複数線」などの「線種別」を表示する。また、「線編集」１０６には、「線削除」ボタン１０６ａと「線追加」ボタン１０６ｂが設けられている。このような「線編集」１０６において、ユーザーが「テンプレート画像」１１２に表示されているテンプレートの線を削除するときには、削除したいテンプレートの線をポイントする。このポイントにより「テンプレート画像」１１２のテンプレートのポイントされた線に対応する「線編集」１０６の「線種別」に「レ」が設定される。次いで、ユーザーが「線削除」ボタン１０６ａを押下すると、ユーザーがポイントした線が「テンプレート画像」１１２のテンプレートから削除され、また「線編集」１０６の「レ」が設定されている「線種別」が削除される。「線編集」１０６において、ユーザーが「テンプレート画像」１１２に表示されているテンプレートに線を追加するときには、線を追加したい「テンプレート画像」１１２のテンプレートの位置をポイントする。次いで、ユーザーが「方向」１０７、「繰り返し」１０８、「色」１０９、及び「不透明度」１１０を設定し、「線追加」ボタン１０６ｂを押下すると、ユーザーがポイントした「テンプレート画像」１１２のテンプレートの位置に線が追加され、また「線編集」１０６に追加した線に対応する「線種別」が追加される。
なお、ユーザーが「テンプレート画像」１１２のテンプレートにおいて、線が存在しない位置、またはテンプレートにおいて線を追加できない位置をポイントしたときには、図７に示す「方向」１０７、「繰り返し」１０８、「色」１０９、「不透明度」１１０、及び「余白」１１１の設定項目は表示されず、図８に示すように「編集可能な既存線または線を追加する位置をポイントして下さい。」のメッセージ１１４が表示される。
【００４１】
「方向」１０７は、垂直方向の線であるか水平方向の線であるかを設定する。垂直方向の線であるときには、「方向レバー」１０７ａを「垂直」の方向に移動し、水平方向の線であるときには「方向レバー」１０７ａを「水平」の方向に移動する。
「繰り返し」１０８は、線の繰り返しの有無を設定する。「繰り返し」１０８に「  」が表示されているときに「繰り返し」１０８をポイントすると「レ」が表示され、繰り返し有りとなる。「繰り返し」１０８に「レ」が表示されているときに「繰り返し」１０８をポイントすると「  」が表示され、繰り返し無しとなる。また、繰り返し有りのときには、線と線の間隔を「線の間隔」１０８ａに入力する。
【００４２】
「色」１０９は、線の色と、色の彩度及び明度を設定する。「色」１０９には、「色設定」ボタン１０９ａと「色彩度明度調整」ボタン１０９ｂが設けられている。「色設定」ボタン１０９ａは、黄、オレンジ、赤、ピンク、紫、青、ライトブルー、緑、黄緑などの色が表示されている輪の形状のボタンである。「色彩度明度調整」ボタン１０９ｂは、線の色の鮮やかさ（以下、「彩度」という）、及び明るさ（以下、「明度」という）を調整するボタンで、「色彩度明度調整」ボタン１０９ｂの上下が彩度の調整、左右が明度の調整となっている。「色彩度明度調整」ボタン１０９ｂは、「色設定」ボタン１０９ａの輪の内側に設けられている。このような「色」１０９において、ユーザーが「色設定」ボタン１０９ａの設定する色が表示されているエリアを押下すると、押下したエリアの色が設定される。また、ユーザーが「色彩度明度調整」ボタン１０９ｂの上側を押下すると設定した色の彩度が高くなり、「色彩度明度調整」ボタン１０９ｂの下側を押下すると設定した色の彩度が低くなる。また、ユーザーが「色彩度明度調整」ボタン１０９ｂの左側を押下すと設定した色の明度が高くなり、「色彩度明度調整」ボタン１０９ｂの右側を押下すると設定した色の明度が低くなる。
【００４３】
「不透明度」１１０は、テンプレートの線に対する透明トナーの濃さ（不透明度）を設定する。「不透明度レベル」１１０ｂに設定された不透明度レベルに対応する不透明度が「不透明度エリア」１１０ａに表示される。
【００４４】
「余白」１１１は、「テンプレート画像」１１２に表示されるテンプレートの上下及び左右の余白を設定する。「上」１１１ａにテンプレートの上側の余白サイズを入力する。「下」１１１ｂにテンプレートの下側の余白サイズを入力する。「左」１１１ｃにテンプレートの左側の余白サイズを入力する。「右」１１１ｄにテンプレートの右側の余白サイズを入力する。
【００４５】
「テンプレート画像」１１２は、テンプレート印刷画面９０を表示するときに、ユーザーがポイントしたテンプレート選択画面８０のプレビュー表示エリア８２ａ〜８２ｊまたはプレビュー表示エリア８２ａ〜８２ｊの「テンプレート名称」に対応するテンプレートの画像を表示する。前述したように、「テンプレート画像」１１２に表示されているテンプレートの線は、「線編集」１０６により線の削除または追加を行うことができる。
【００４６】
「印刷」ボタン１１３は、「テンプレート画像」１１２に表示されているテンプレートを印刷するときに押下するボタンである。「印刷」ボタン１１３を押下すると、「印刷用紙サイズ」１０２、「印刷ページ数」１０３、「テンプレート向き」１０４、及び「片面両面印刷」１０５の設定値と、「テンプレート画像」１１２に表示されているテンプレートの画像が制御部２１に出力され、制御部２１の印刷実行処理部２１ａが設定値に基づいてテンプレートを印刷する。
【００４７】
以上により、ユーザーは、テンプレート選択画面８０のプレビュー表示エリア８１ａ〜８１ｃ、またはプレビュー表示エリア８２ａ〜８２ｊのテンプレートのプレビューを確認して印刷及び編集を行うテンプレートを選択することができる。ユーザーは、テンプレート印刷画面９０の「テンプレート画像」９６に表示されるテンプレートの画像を確認してテンプレートの印刷を行うことができる。ユーザーは、テンプレート編集画面１００の「テンプレート画像」１１２に表示されるテンプレートの画像を確認してテンプレートの編集と印刷を行うことができる。ユーザーは、テンプレート編集画面１００の「テンプレート画像」１１２に表示されるテンプレートの画像をポイントすることで容易に線の削除及び追加を行うことができる。ユーザーは、テンプレート編集画面１００の「色」１０９に設けられている「色設定」ボタン１０９ａと「色彩度明度調整」ボタン１０９ｂを用いることで、容易にテンプレートの線の色、色の彩度及び明度を調整することができる。
【００４８】
なお、実施形態においては、テンプレート編集画面１００により編集したテンプレートを印刷するようにしたが、印刷するだけでなく編集した「テンプレート画像」１１２に表示されているテンプレートを情報処理装置１に保存することも可能である。例えば、テンプレート編集画面１００にテンプレートの保存名を入力する「テンプレート保存名」入力エリアと「保存」ボタンを設け、ユーザーが「テンプレート保存名称」にテンプレート名称を入力し、「保存」ボタンを押下することで容易にユーザーが編集したテンプレートの画像を補助記憶部１２のテンプレート画像データ保存エリア１２ｂに保存することができる。また、このように保存されたテンプレートの画像は、テンプレート選択画面８０のプレビュー表示エリアにも表示される。
【００４９】
また、テンプレート編集画面１００の「色設定」ボタン１０９ａと「色彩度明度調整」ボタン１０９ｂが設けられている「色」１０９については、ユーザーがテンプレート選択画面８０から選択したテンプレートに色が設定されていないときには、「色」１０９の「色設定」ボタン１０９ａと「色彩度明度調整」ボタン１０９ｂを表示しないようにすることも可能である。このように「色」１０９の「色設定」ボタン１０９ａと「色彩度明度調整」ボタン１０９ｂを表示しないことで、「テンプレート名称」１０１のテンプレートに色が設定されていないことをユーザーが容易に確認することができる。また、色が設定されていないテンプレートに色を設定するときには、「色」１０９をポイントすることで「色設定」ボタン１０９ａと「色彩度明度調整」ボタン１０９ｂを表示させ、テンプレートの線に色を設定することも可能である。また、「色設定」ボタン１０９ａを輪の形状のボタンとし、「色彩度明度調整」ボタン１０９ｂが「色設定」ボタン１０９ａの輪の内側に設けるようにしたが、これに限定されず、「色設定」ボタン１０９ａや「色彩度明度調整」ボタン１０９ｂを他の形状とし、また「色彩度明度調整」ボタン１０９ｂを「色設定」ボタン１０９ａの外側に設けることも可能である。また、「色彩度明度調整」ボタン１０９ｂの上下が彩度の調整、左右が明度の調整としたが、ユーザーが押下できる位置であればこの上下や左右の位置に限定されず、予め決めた位置とすることも可能である。また、「色彩度明度調整」ボタン１０９ｂは、「色彩度調整」ボタンと「色明度調整」ボタンの２つに分けて設けてもよい。
【００５０】
また、実施形態においては、ユーザーが情報処理装置１の操作表示部１３を操作してテンプレート選択画面８０、テンプレート印刷画面９０、またはテンプレート編集画面１００を表示して設定値を設定するようにしたが、これに限定されない。例えば、図２に示す画像形成装置１にテンプレート機能を搭載し、ユーザーは画像形成装置１の操作パネル２５にテンプレート選択画面８０、テンプレート印刷画面９０、またはテンプレート編集画面１００を表示することも可能である。
【００５１】
このような本発明の情報処理装置及び画像形成システムは、テンプレートをユーザーの文書に合わせて編集することができる。
【００５２】
以上、具体的な実施の形態により本発明を説明したが、上記実施の形態は本発明の例示であり、この実施の形態に限定されないことは言うまでもない。
【産業上の利用可能性】
【００５３】
本発明は、情報処理装置及び画像形成システムに好適であるが、情報処理装置及び画像形成システムに限られるものではなく、テンプレート機能を備える装置一般に適用できる。
【符号の説明】
【００５４】
１・・・・・・・情報処理装置
１ａ・・・・・・情報処理装置
２・・・・・・・画像形成装置
２ａ・・・・・・画像形成装置
３・・・・・・・ネットワーク
１１・・・・・・・制御部
１１ａ・・・・・・ドライバー処理部
１２・・・・・・・補助記憶部
１２ａ・・・・・・原稿画像データ保存エリア
１２ｂ・・・・・・テンプレート画像データ保存エリア
１３・・・・・・・操作表示部
１４・・・・・・・ネットワーク通信部
２１・・・・・・・制御部
２１ａ・・・・・・印刷実行処理部
２２・・・・・・・補助記憶部
２２ａ・・・・・・印刷要求画像データ保存エリア
２３・・・・・・・記憶部
２３ａ・・・・・・原稿画像データ保存エリア
２３ｂ・・・・・・テンプレート画像データ保存エリア
２４・・・・・・・ネットワーク通信部
２５・・・・・・・操作パネル
２６・・・・・・・操作パネル処理部
２７・・・・・・・原稿読取部
２８・・・・・・・画像形成部
２９・・・・・・・画像印刷部
８０・・・・・・・テンプレート選択画面
８１・・・・・・・表示エリア「最近使用テンプレート」
８１ａ〜８１ｃ・・プレビュー表示エリア
８２・・・・・・・表示エリア「テンプレート」
８２ａ〜８２ｊ・・プレビュー表示エリア
８３・・・・・・・「印刷」ボタン
８４・・・・・・・「編集」ボタン
９０・・・・・・・テンプレート印刷画面
９１・・・・・・・表示エリア「テンプレート名称」
９２・・・・・・・設定項目「印刷用紙サイズ」
９３・・・・・・・設定項目「印刷ページ数」
９４・・・・・・・設定項目「片面両面印刷」
９４ａ・・・・・・設定項目「片面印刷」
９４ｂ・・・・・・設定項目「両面長辺綴じ印刷」
９４ｃ・・・・・・設定項目「両面短辺綴じ印刷」
９５・・・・・・・設定項目「テンプレート向き」
９５ａ・・・・・・設定項目「短辺上側向き」
９５ｂ・・・・・・設定項目「長辺上側向き」
９５ｃ・・・・・・設定項目「短辺下側向き」
９５ｄ・・・・・・設定項目「長辺下側向き」
９６・・・・・・・表示エリア「テンプレート画像」
９７・・・・・・・「印刷」ボタン
１００・・・・・・・テンプレート編集画面
１０１・・・・・・・表示エリア「テンプレート名称」
１０２・・・・・・・設定項目「印刷用紙サイズ」
１０３・・・・・・・設定項目「印刷ページ数」
１０４・・・・・・・設定項目「テンプレート向き」
１０４ａ・・・・・・設定項目「短辺上側向き」
１０４ｂ・・・・・・設定項目「長辺上側向き」
１０４ｃ・・・・・・設定項目「短辺下側向き」
１０４ｄ・・・・・・設定項目「長辺下側向き」
１０５・・・・・・・設定項目「片面両面印刷」
１０５ａ・・・・・・設定項目「片面印刷」
１０５ｂ・・・・・・設定項目「両面長辺綴じ印刷」
１０５ｃ・・・・・・設定項目「両面短辺綴じ印刷」
１０６・・・・・・・設定項目「線編集」
１０６ａ・・・・・・「線削除」ボタン
１０６ｂ・・・・・・「線追加」ボタン
１０７・・・・・・・設定項目「方向」
１０７ａ・・・・・・設定項目「方向レバー」
１０８・・・・・・・設定項目「繰り返し」
１０８ａ・・・・・・入力エリア「線の間隔」
１０９・・・・・・・設定項目「色」
１０９ａ・・・・・・「色設定」ボタン
１０９ｂ・・・・・・「色彩度明度調整」ボタン
１１０・・・・・・・設定項目「不透明度」
１１０ａ・・・・・・表示エリア「不透明度エリア」
１１０ｂ・・・・・・設定項目「不透明度レベル」
１１１・・・・・・・設定項目「余白」
１１１ａ・・・・・・入力エリア「上」
１１１ｂ・・・・・・入力エリア「下」
１１１ｃ・・・・・・入力エリア「左」
１１１ｄ・・・・・・入力エリア「右」
１１２・・・・・・・表示エリア「テンプレート画像」
１１３・・・・・・・「印刷」ボタン
１１４・・・・・・・表示エリア「メッセージ」
Ｘ・・・・・・・画像形成システム
【図１】
2015087977.tif 000003
【図２】
2015087977.tif 000004
【図３】
2015087977.tif 000005
【図４】
2015087977.tif 000006
【図５】
2015087977.tif 000007
【図６】
2015087977.tif 000008
【図７】
2015087977.tif 000009
【図８】
2015087977.tif 000010